(57)【要約】【課題】  シリンジからの液体の吐出量を細かく調整できるシリンジ用の吐出量調整具を提供することを課題とする。【解決手段】  シリンジに充填されている液体の吐出予定量を調整するための大量調整部と、小量調整部と、を備え、前記小量調整部を、前記大量調整部よりも操作量に対する吐出予定量の変化量が小さくなるように構成する。【選択図】図１２
2019088555.tif 000002
【特許請求の範囲】
【請求項１】
シリンジに充填されている液体の吐出予定量を調整するための大量調整部と小量調整部と、を備え、
前記小量調整部は、前記大量調整部よりも単位操作量に対する吐出予定量の変化量が小さくなるように構成されるシリンジ用の吐出量調整具。
【請求項２】
前記小量調整部は、前記単位操作量に対する前記吐出予定量の変化量が前記大量調整部の前記単位操作量に対する前記吐出予定量の変化量の１０分の１以下に設定される請求項１に記載のシリンジ用の吐出量調整具。
【請求項３】
前記大量調整部における前記吐出予定量を増減させるための操作方向と、前記小量調整部における前記吐出予定量を増減させるための操作方向とが、異なる方向に設定される請求項１又は請求項２に記載のシリンジ用の吐出量調整具。
【請求項４】
前記大量調整部と前記小量調整部とは、同じ回転中心軸周りに回転操作することで前記吐出予定量を増減するように構成され、
前記大量調整部の回転操作方向のうち、前記吐出予定量を増加させるための回転操作方向と、前記小量調整部の回転操作方向のうち、前記吐出予定量を増加させるための回転操作方向とは、逆向きの回転方向である請求項１〜３の何れか１項に記載のシリンジ用の吐出量調整具。
【請求項５】
前記大量調整部及び前記小量調整部の何れか一方は、スライド操作により吐出予定量を増減させるように構成され、
前記大量調整部及び前記小量調整部の何れか他方は、回転操作により吐出予定量を増減させるように構成される
請求項３に記載のシリンジ用の吐出量調整具。
【発明の詳細な説明】
【技術分野】
【０００１】
本発明は、シリンジから吐出する液量を調整するための吐出量調整具に関する。
【背景技術】
【０００２】
従来、例えば、特許文献１に開示されているように、シリンダー内の注入液を所望する分量だけ吐出できるようにするための構造を備える注入器が知られている。
【０００３】
かかる注入器は、軸線方向における一端には注射針が設けられ且つ他端は開放されている筒状のシリンダーと、シリンダーに外嵌された状態でシリンダーに対して前記軸線方向で位置変更可能なストッパーと、シリンダーとストッパーとに挿通されたピストンと、を備えている。
【０００４】
シリンダーには、注入剤が充填されている。また、シリンダーの前記他端側の外周面には、ネジ山が形成されている。
【０００５】
ストッパーは、筒状であり、内周面にはシリンダーのねじ山に螺合可能なねじ溝が形成されている。
【０００６】
ピストンは、軸状に形成されており、シリンダーの内周面に密接してスライド可能となるように、シリンダーに挿通した状態で一端がストッパーの後方側に位置する軸部と、軸部の前記一端に形成された鍔部とを有し、該鍔部は、外径がストッパーの内径よりも大きくなるように形成されている。
【０００７】
かかる注入器によれば、ストッパーをシリンダーに対して回転させることにより、ストッパーとピストンの鍔部との間隔、すなわち、ピストンの押込量を調整できるため、シリンダーから所望する分量だけ注入剤を吐出できるようになっている。
【先行技術文献】
【特許文献】
【０００８】
【特許文献１】実開昭６０−１３８５４５号公報
【発明の概要】
【発明が解決しようとする課題】
【０００９】
ところで、上記従来の注入器は、一つのストッパーにより、一定の変化量で吐出量を調整することは可能であるが、使用する注入剤の種類や用法によっては、さらに細かく吐出量を調整できるようにすることが求められることがある。
【００１０】
そこで、本発明は、かかる実情に鑑み、シリンジからの液体の吐出量を細かく調整できるシリンジ用の吐出量調整具を提供することを課題とする。
【課題を解決するための手段】
【００１１】
本発明のシリンジ用の吐出量調整具は、
シリンジに充填されている液体の吐出予定量を調整するための大量調整部と小量調整部と、を備え、
前記小量調整部は、前記大量調整部よりも単位操作量に対する吐出予定量の変化量が小さくなるように構成される。
【００１２】
上記構成のシリンジ用の吐出量調整具によれば、小量調整部の単位操作量に対する吐出予定量の変化量が、大量調整部の単位操作量に対する吐出予定量の変化量よりも小さくなっているため、小量調整部を操作することにより吐出予定量を細やかに調整することができる。
【００１３】
また、本発明のシリンジ用の吐出量調整具において、
前記小量調整部は、前記単位操作量に対する前記吐出予定量の変化量が前記大量調整部の前記単位操作量に対する前記吐出予定量の変化量の１０分の１以下に設定されていてもよい。
【００１４】
上記構成のシリンジ用の吐出量調整具によれば、小量調整部の単位操作量に対する吐出予定量の変化量を大量調整部の単位操作量に対する吐出予定量の変化量の１０分の１以下とすることにより、吐出予定量を所望の量に合わせ易くなる。
【００１５】
また、本発明のシリンジ用の吐出量調整具において、
前記大量調整部における前記吐出予定量を増減させるための操作方向と、前記小量調整部における前記吐出予定量を増減させるための操作方向とが、異なる方向に設定されていてもよい。
【００１６】
かかる構成によれば、吐出予定量を増減させる際における大量調整部に対する操作方向と、小量調整部に対する操作方向とが異なる方向に設定されているため、大量調整部と小量調整部とに対する誤操作を防止することができる。
【００１７】
この場合、
前記大量調整部と前記小量調整部とは、同じ回転中心軸周りに回転操作することで前記吐出予定量を増減するように構成され、
前記大量調整部の回転操作方向のうち、前記吐出予定量を増加させるための回転操作方向と、前記小量調整部の回転操作方向のうち、前記吐出予定量を増加させるための回転操作方向とは、逆向きの回転方向であってもよい。
【００１８】
かかる構成によれば、吐出予定量を増加させる際における大量調整部の前記回転操作方向と、小量調整部の前記回転操作方向とが逆向きになるため、大量調整部と小量調整部とに対する誤操作を防止することができる。
【００１９】
また、本発明のシリンジ用の吐出量調整具において、
前記大量調整部及び前記小量調整部の何れか一方は、スライド操作により吐出予定量を増減させるように構成され、
前記大量調整部及び前記小量調整部の何れか他方は、回転操作により吐出予定量を増減させるように構成されていてもよい。
【００２０】
かかる構成によれば、大量調整部と小量調整部とが、それぞれ異なる操作方法により吐出予定量を増減させるように構成されているため、大量調整部と小量調整部とに対する誤操作を防止することができる。
【発明の効果】
【００２１】
以上のように、本発明のシリンジ用の吐出量調整具は、シリンジからの液体の吐出量を細かく調整できるという優れた効果を奏し得る。
【図面の簡単な説明】
【００２２】
【図１】図１は、本発明の一実施形態に係るシリンジ用の吐出量調整具の斜視図である。
【図２】図２は、同実施形態に係るシリンジ用の吐出量調整具の縦断面図である。
【図３】図３において（ａ）は同実施形態に係るシリンジ用の吐出量調整具における装着部の側面図、（ｂ）は該装着部の平面図である。
【図４】図４は、同実施形態に係るシリンジ用の吐出量調整具における装着部の縦断面図である。
【図５】図５において（ａ）は同実施形態に係るシリンジ用の吐出量調整具における第一の調整部の側面図、（ｂ）は該第一の調整部の平面図である。
【図６】図６は、同実施形態に係るシリンジ用の吐出量調整具における第一の調整部の縦断面図である。
【図７】図７において（ａ）は同実施形態に係るシリンジ用の吐出量調整具における第二の調整部の側面図、（ｂ）は該第二の調整部の平面図である。
【図８】図８は、同実施形態に係るシリンジ用の吐出量調整具における第二の調整部の縦断面図である。
【図９】図９は、同実施形態に係るシリンジ用の吐出量調整具の使用方法の説明図であり、装着部にバレルを装着した状態の説明図である。
【図１０】図１０は、同実施形態に係るシリンジ用の吐出量調整具の使用方法の説明図であり、装着部に調整ユニットを取り付けた状態の説明図である。
【図１１】図１１は、同実施形態に係るシリンジ用の吐出量調整具の使用方法の説明図であり、バレルにプランジャを挿し込んだ状態の説明図である。
【図１２】図１２は、同実施形態に係るシリンジ用の吐出量調整具の使用方法の説明図であり、第一の調整部とともに第二の調整部を移動させた状態の説明図である。
【図１３】図１３は、同実施形態に係るシリンジ用の吐出量調整具の使用方法の説明図であり、第一の調整部に対して第二の調整部のみを移動させた状態の説明図である。
【図１４】図１４は、同実施形態に係るシリンジ用の吐出量調整具の使用方法の説明図であり、プランジャを押し込んだ状態の説明図である。
【図１５】図１５は、他実施形態に係るシリンジ用の吐出量調整具の説明図であり、（ａ）は装着部の平面図、（ｂ）は装着部の縦断面斜視図である。
【発明を実施するための形態】
【００２３】
以下、本発明の一実施形態にかかるシリンジ用の吐出量調整具（以下、吐出量調整具と称する）について、添付図面を参照しつつ説明する。本実施形態に係る吐出量調整具は、シリンジから吐出する液量を調整するためのものである。
【００２４】
吐出量調整具の説明に先立ち、シリンジの説明を行う。シリンジは、図１１に示すように、薬剤等の液体が充填されるバレル５０と、該バレル５０内の液体を吐出させるためのプランジャ５１とを備えている。
【００２５】
バレル５０は、筒状部５００と、該筒状部５００の軸線方向における一端に設けられているノズル５０１と、該筒状部５００の軸線方向における他端の外周全周から外方（筒状部５００の径方向外方）に向かって延出するフランジ部５０２とを有する。
【００２６】
なお、本実施形態のバレル５０では、ノズル５０１に注射針が一体に成形されているが、ノズル５０１と注射針とは別体であってもよい。
【００２７】
プランジャ５１は、軸状のロッド部５１０と、該ロッド部５１０の長手方向における一端に取り付けられたガスケット５１１であって、筒状部５００の内周面全周に亘って密接するガスケット５１１と、ロッド部５１０の長手方向における他端に取り付けられた操作部５１２とを有する。
【００２８】
操作部５１２の外形は、ロッド部５１０の外形よりも大きくなっており、外周縁部全周がロッド部５１０よりも外側に延出している。
【００２９】
図１、図２に示すように、吐出量調整具１は、シリンジ５に装着する装着部２と、シリンジ５に充填されている液体の吐出予定量を調整するための調整ユニット３と、吐出予定量を確認するための確認構造４（図１参照）と、を備えている。
【００３０】
装着部２は、図１１に示すように、筒状であり、一方の開口端が、装着するシリンジ５のノズル５０１側に向けて配置される前端となり、他方の開口端が、該シリンジ５のプランジャ５１（プランジャ５１の操作部５１２側）に向けて配置される後端となっている。
【００３１】
本実施形態に係る装着部２は、図３（ｂ）、及び図４に示すように、バレル５０（フランジ部５０２）に固定する固定部２０と、固定部２０に連設され且つバレル５０（筒状部５００）の表面を覆うカバー部２１と、調整ユニット３が取り付けられる連結ベース部２２と、を有する。
【００３２】
固定部２０は、環状であり、バレル５０をノズル５０１側から挿通してフランジ部５０２を嵌込可能な嵌込部２００を有する。
【００３３】
本実施形態に係る嵌込部２００は、前記軸線方向でフランジ部５０２を受ける受面部２００ａと、該受面部２００ａから起立し且つ開口を取り囲むように形成された壁面部２００ｂとを有する。
【００３４】
なお、壁面部２００ｂは、嵌込部２００に嵌め込まれたフランジ部５０２の外周面側に圧接するように構成されており、例えば、壁面部２００ｂの内面により取り囲まれる領域を、フランジ部５０２の外形よりも小さくしたり、壁面部２００ｂの内面の一部を内側に突出させたりしてもよい。
【００３５】
さらに、壁面部２００ｂは、フランジ部５０２の外形に合わせて形成されている。
【００３６】
壁面部２００ｂには、互いに対向し且つ平行に形成された一対の平面壁部２００ｃと、該平面壁部２００ｃのそれぞれに連設される一対の曲面壁部２００ｄと、が含まれている。曲面壁部２００ｄは、互いに対向するように形成されており、さらに、互いに離間する方向に凸状に（すなわち、外方に向けて凸状に）湾曲している。
【００３７】
上述のように、本実施形態に係る装着部２は筒状であるため、カバー部２１も筒状に形成されている。
【００３８】
そして、カバー部２１は、開口方向における長さがバレル５０の全長よりも短くなるように形成されている。
【００３９】
連結ベース部２２は、装着部２の後端側の外周面（固定部２０及びカバー部２１の少なくとも何れか一方の外周面）に沿って螺旋状に形成された螺旋状の連結ねじ部２２０を有する。連結ねじ部２２０には、周方向における両端の間には所定の間隔毎に複数の凹部（以下、嵌合凹部と称する）２２１が形成されている。
【００４０】
調整ユニット３は、図１に示すように、前記軸線方向で位置変更可能な一対の吐出量調整部３０、３１と、該一対の吐出量調整部３０、３１の何れか一方に形成される規制部３２であって、プランジャ５１の押込操作を規制可能な規制部３２（図７（ｂ）参照）と、を有する。
【００４１】
なお、本実施形態では、一対の吐出量調整部をそれぞれ、第一の調整部３０、第二の調整部３１と称することとする。
【００４２】
第一の調整部３０は、外部から操作可能であり、装着部２に対して前記軸線方向で位置変更可能となるように取り付けられている。
【００４３】
本実施形態に係る第一の調整部３０は、図５（ａ）、（ｂ）、及び図６に示すように、筒状の本体部（以下、第一の本体部と称する）３００と、該第一の本体部３００に形成され且つ装着部２（連結ベース部２２）に対して前記軸線方向で位置変更可能となるように取り付けられる取付部（以下、第一の取付部と称する）３０１と（図６参照）、第二の調整部３１が取り付けられる接続ベース部３０２と、接続ベース部３０２に取り付けられた第二の調整部３１の脱落を防止するための被引掛部３０３と、を有する。
【００４４】
第一の本体部３００は、内径が装着部２の外径よりも大きくなるように設定されており、装着部２に外嵌するように構成されている。また、第一の本体部３００には、装着部２が装着されているシリンジ５のノズル５０１側に向けて配置される前端と、該シリンジ５のプランジャ５１側（プランジャ５１の操作部５１２側）に向けて配置される後端と、を有する（図１１参照）。
【００４５】
第一の取付部３０１は、図６に示すように、第一の本体部３００の内周面に形成されている。第一の取付部３０１は、第一の本体部３００の内周面に形成された取付用ねじ部（以下、第一の取付用ねじ部と称する）３０１ａと、該第一の取付用ねじ部３０１ａの間に形成され第一の本体部３００の内周面から径方向内方（第一の本体部３００の径方向内方）に向けて突出する位置決突出部（以下、嵌合突出部と称する）３０１ｂとを有する。
【００４６】
第一の取付ねじ部３０１ａは、第一の本体部３００の中心線を中心とする螺旋方向に沿って延びるように形成されている。また、本実施形態では、複数の第一の取付ねじ部３０１ａが、前記螺旋方向に沿って間隔をあけて並べて形成されている。
【００４７】
嵌合突出部３０１ｂは、前記螺旋方向で隣り合う第一の取付用ねじ部３０１ａの間に形成されており、前記第一の本体部３００の中心線が延びる方向と同方向で真っ直ぐに延びている。
【００４８】
第一の取付用ねじ部３０１ａは、連結ねじ部２２０に螺合可能であり、嵌合突出部３０１ｂは、嵌合凹部２２１に嵌合可能である。
【００４９】
接続ベース部３０２には、第一の本体部３００における後端側の外周面に形成された螺旋状の接続ねじ部３０２ａを有する。接続ねじ部３０２ａは、第一の本体部３００の後端側の外周面に沿って螺旋状に形成されている。また、接続ねじ部３０２ａには、周方向における所定の間隔毎に複数の凹部（以下、係合凹部と称する）３０２ｂが形成されている（図５（ａ）参照）。
【００５０】
被引掛部３０３は、接続ベース部３０２よりも第一の本体部３００の前端側に形成されている。
【００５１】
また、被引掛部３０３は、接続ベース部３０２の外周面から径方向外方（接続ベース部３０２の径方向外方）に向けて突出している。なお、被引掛部３０３は、接続ベース部３０２の周方向全周に亘って連続的に延びるように形成されている。
【００５２】
第二の調整部３１は、外部から操作可能であり、第一の調整部３０に対して前記軸線方向で位置変更可能となるように取り付けられている。
【００５３】
本実施形態に係る第二の調整部３１は、図７（ａ）、図７（ｂ）及び図８に示すように、筒状の本体部（以下、第二の本体部と称する）３１０と、第一の調整部３０に対して前記軸線方向で位置変更可能となるように取り付けるための取付部（以下、第二の取付部と称する）３１１（図８参照）と、第一の調整部３０からの脱落を防止するための引掛部３１２（図８参照）と、を有する。
【００５４】
第二の本体部３１０は、内径が第一の調整部３０の外径よりも大きくなるように設定されており、第一の調整部３０に外嵌するように構成されている。また、第二の本体部３１０には、装着部２が装着されているシリンジ５のノズル５０１側に向けて配置される前端と、該シリンジ５のプランジャ５１側（プランジャ５１の操作部５１２側）に向けて配置される後端と、を有する。
【００５５】
第二の取付部３１１は、図８に示すように、第二の本体部３１０の内周面に形成されたねじ部（以下、第二の取付ねじ部と称する）３１１ａと、第二の本体部３１０の内周面から径方向内方（第二の本体部３１０の径方向内方）に向けて突出する係合突出部３１１ｂとを有する。
【００５６】
第二の取付ねじ部３１１ａは、第二の本体部３１０の中心線を中心とする螺旋方向に沿って延びるように形成されている。また、本実施形態では、複数の第二の取付ねじ部３１１ａが、前記螺旋方向に沿って間隔をあけて並べて形成されている。
【００５７】
係合突出部３１１ｂは、前記螺旋方向で隣り合う第二の取付ねじ部３１１ａの間に形成されており、前記第二の本体部３１０の中心線が延びる方向と同方向で真っ直ぐに延びている。
【００５８】
第二の取付ねじ部３１１ａは、接続ねじ部３０２ａに螺合可能であり、係合突出部３１１ｂは、係合凹部３０２ｂに嵌合可能である。
【００５９】
引掛部３１２は、第二の取付部３１１よりも第二の本体部３１０の前端側に形成されている。
【００６０】
引掛部３１２は、第二の本体部３１０の内周面に形成されており、該第二の本体部３１０の中心線を中心とする螺旋方向に沿って延びるように形成されている。なお、本実施形態では、複数の引掛部３１２が、第二の本体部３１０の中心線を中心とする螺旋方向で間隔をあけて並ぶように形成されている。
【００６１】
規制部３２は、第二の本体部３１０の後端に形成されている。
【００６２】
本実施形態に係る規制部３２は、前記第二の本体部３１０の後端側の開口縁周りに広がり且つ前記軸線方向における前方側（シリンジ５のフランジ部５０２側からノズル５０１側に向かう方向）へのプランジャ５１の移動を規制可能な前方規制部３２０と、該前方規制部３２０に形成され且つ前記軸線方向における後方側（シリンジ５のノズル５０１側からフランジ部５１２側に向かう方向）へのプランジャ５１の移動を規制可能な後方規制部３２１と、を有する。
【００６３】
前方規制部３２０は、前記第二の本体部３１０の後端に対して段状に形成されており、内部にプランジャ５１の操作部５１２を嵌込可能となっている。
【００６４】
後方規制部３２１は、前方規制部３２０の内側に向けて突出する一つ以上(本実施形態では二つ）の爪部３２１ａを有する。
【００６５】
このように、第二の調整部３１は、前記軸線方向における前方側に移動する（押し込まれる）操作部５１２を前方規制部３２０で受けることにより、プランジャ５１の前記軸線方向における前方側への移動を規制するように構成されているため、調整ユニット３は、該第二の調整部３１の前記軸線方向における位置が変わることで、プランジャ５１の押込量、すなわち、液体の吐出予定量が変化するように構成されている。
【００６６】
また、本実施形態では、連結ねじ部２２０及び第一の取付用ねじ部３０１ａのねじピッチ（前記軸線方向における第一の調整部３０の送り量）が、接続ねじ部３０２ａ及び第二の取付ねじ部３１１ａのねじピッチ（前記軸線方向における第二の調整部３１の送り量）よりも大きくなっており、単位操作量に対する第一の調整部３０の前記軸線方向での移動量が、単位操作量に対する第二の調整部３１の前記軸線方向での移動量よりも大きくなっている。
【００６７】
そして、第一の調整部３０の単位操作量に対する吐出予定量の変化量は、第二の調整部３１の単位操作量に対する吐出予定量の変化量よりも大きくなっている。
【００６８】
このため、本実施形態では、第一の調整部３０が、吐出予定量を大きく変化させる大量調整部となり、第二の調整部３１が、第二の調整部３１よりも吐出予定量を細かく（小さく）変化させる小量調整部となっている。
【００６９】
また、第一の調整部３０と、第二の調整部３１とは、同じ回転中心軸周りで回転操作することで吐出予定量を増減させるように構成されているが、第一の調整部３０の回転操作方向のうち、吐出予定量を増加させるための回転操作方向と、第二の調整部３１の回転操作方向のうち、吐出予定量を増加させるための回転操作方向とが逆向きの回転方向となっており、また、第一の調整部３０の回転操作方向のうち、吐出予定量を減少させるための回転操作方向と、第二の調整部３１の回転操作方向のうち、吐出予定量を減少させるための回転操作方向とが逆向きの回転方向となっている。
【００７０】
確認構造４は、図１に示すように、第一の調整部３０による吐出予定量の調整量を表示する第一の表示部４０と、第二の調整部３１による吐出予定量の調整量を表示する第二の表示部４１とを有する。
【００７１】
第一の表示部４０は、図３、及び図５に示すように、第一の調整部３０の単位操作量あたりの吐出予定量の変化量に合わせて形成された複数の目盛りを有する第一の目盛部４００と、第一の調整部３０の前記調整量に合致する目盛りを指し示す第一の指示部４０１とを有する。
【００７２】
第一の指示部４０１は、第一の調整部３０に形成された貫通孔で構成されており、この貫通孔を通じて第一の調整部３０の前記調整量に合致する目盛りを示すように構成されている。また、本実施形態では、第一の調整部３０に対する操作量が単位操作量に到達する度に、第一の指示部４０１が示す目盛りが変わるように構成されている
【００７３】
第二の表示部４１は、図５、及び図７に示すように、第二の調整部３１の単位操作量あたりの吐出予定量の変化量に合わせて形成された複数の目盛りを有する第二の目盛部４１０と、第二の調整部３１の前記調整量に合致する目盛りを指し示す第二の指示部４１１とを有する。
【００７４】
第二の指示部４１１は、第二の調整部３１の前端で構成されており、第二の調整部３１の前記調整量に対応する目盛りと合致する位置に配置されるように構成されている。また、本実施形態では、第二の調整部３１に対する操作量が単位操作量に到達する度に、第二の指示部４１１が示す目盛りが変わるように構成されている。
【００７５】
さらに、本実施形態に係る吐出量調整具１は、第一の指示部４０１が第一の目盛部４００の何れかの目盛を指示している状態に切り替わるとともに、嵌合凹部２２１と嵌合突出部３０１ｂとが嵌合するように構成されており、また、第二の指示部４１１が第二の目盛部４１０の何れかの目盛を指示している状態に切り替わるとともに、係合凹部３０２ｂと係合突出部３１１ｂとが係合するように構成されている。
【００７６】
本実施形態に係る吐出量調整具１の構成は、以上の通りである。続いて、吐出量調整具１の使用方法について、添付図面を参照しつつ説明する。
【００７７】
吐出量調整具１は、使用前の状態においては、装着部２、第一の調整部３０、第二の調整部３１がそれぞれ分解されている。
【００７８】
そして、図９に示すように、装着部２に液体が充填されていないバレル５０を挿通し、フランジ部５０２を嵌込部２００に嵌め込む。これにより、壁面部２００ｂがフランジ部５０２に圧接することで、前記軸線方向における装着部２とバレル５０の相対移動が規制され、さらに、平面壁部２００ｃと曲面壁部２００ｄとにより、前記軸線方向を中心とする装着部２とバレル５０の相対回転が規制される。
【００７９】
続いて、装着部２に第一の調整部３０を取り付ける。本実施形態では、第一の調整部３０を装着部２に外嵌させ、さらに、連結ねじ部２２０と、第一の取付用ねじ部３０１ａとを螺合させることで装着部２に第一の調整部３０を取り付ける。
【００８０】
さらに、図１０に示すように、第一の調整部３０に第二の調整部３１を取り付ける。本実施形態では、第二の調整部３１を第一の調整部３０に外嵌させ、さらに、接続ねじ部３０２ａに第二の取付ねじ部３１１ａを螺合させる。
【００８１】
なお、本実施形態では、接続ねじ部３０２ａに第二の取付ねじ部３１１ａを螺合させるのに先立ち、引掛部３１２を接続ねじ部３０２ａに螺合させた後に、被引掛部３０３を乗り越えさせることにより、該引掛部３１２を被引掛部３０３の前方側（前記軸線方向における前方側）に配置する。これにより、第二の調整部３１が第一の調整部３０に対して抜止される（第二の調整部３１の第一の調整部３０からの脱落が防止される）
【００８２】
このようにして、吐出量調整具１を組み立てた後、図１１に示すように、バレル５０内に薬液等の液体を充填し、プランジャ５１をバレル５０に挿通してシリンジ５を組み立てる。
【００８３】
シリンジ５から吐出する液量を調整するには、図１２に示すように、第一の調整部３０を回転操作することで吐出予定量を大きく変化させて調整する。第一の調整部３０は、回転操作に伴い前記軸線方向で移動する。また、第一の調整部３０の前記軸線方向での移動に伴い、第二の調整部３１も前記軸線方向で移動するため、規制部３２の位置（前記軸線方向での位置）が変わる結果、プランジャ５１の押込可能量（すなわち、吐出予定量）も変化する。
【００８４】
続いて、図１３に示すように、装着部２、及び第一の調整部３０に対して第二の調整部３１のみを回転操作することにより、吐出予定量を細かく変化させて調整する。
【００８５】
そして、操作部５１２が前方規制部３２０内に嵌まり込むまでプランジャ５１を押し込み操作すれば、吐出予定量と同じ分量の液体がシリンジ５から吐出される。
【００８６】
さらに、操作部５１２が前方規制部３２０内に嵌まり込むと、後方規制部３２１によりプランジャ５１の前記軸線方向における後方側への移動が規制される。
【００８７】
以上のように、本実施形態に係る吐出量調整具１によれば、第二の調整部３１の単位操作量に対する吐出予定量の変化量が、第一の調整部３０の単位操作量に対する吐出予定量の変化量よりも小さくなっているため、第二の調整部３１を操作することにより吐出予定量を細やかに調整することができる。
【００８８】
従って、本実施形態に係る吐出量調整具１は、シリンジ５からの液体の吐出量を細かく調整できるという優れた効果を奏し得る。
【００８９】
また、本実施形態に係る吐出量調整具１によれば、第一の調整部３０を前記軸線方向で移動させることにより、吐出予定量を大きく変化させて調整でき、また、第一の調整部３０に対して第二の調整部３１のみを前記軸線方向に移動させることで吐出予定量を細かく変化させて調整することができるため、吐出予定量を素早く細やかに調整することが可能となる。
【００９０】
さらに、前方規制部３２０内に嵌まり込んだ操作部５１２は、後方規制部３２１によりプランジャ５１の前記軸線方向における後方側への移動が規制されるため、一度押し込まれたプランジャ５１が引き戻されることを防止でき、シリンジ５内の液体の使用状況を正しく把握することが可能となる。
【００９１】
さらに、吐出量調整具１では、第二の調整部３１の単位操作量に対する吐出予定量の変化量を第一の調整部３０の単位操作量に対する吐出予定量の変化量の１０分の１以下に設定されているため、吐出予定量を所望の量に合わせ易くなる。
【００９２】
また、第一の調整部３０における吐出予定量を増減させるための操作方向と、第二の調整部３１における吐出予定量を増減させるための操作方向とが、異なる方向に設定されているため、第一の調整部３０と第二の調整部３１とに対する誤操作を防止することができる。
【００９３】
本実施形態では、第一の調整部３０と第二の調整部３１とは、同じ回転中心軸周りに回転操作することで吐出予定量を増減するように構成されたうえで、第一の調整部３０の回転操作方向のうち、吐出予定量を増加させるための回転操作方向と、第二の調整部３１の回転操作方向のうち、吐出予定量を増加させるための回転操作方向とは、逆向きの回転方向となっているため、第一の調整部３０と第二の調整部３１とに対する誤操作を防止することができる。
【００９４】
また、第一の調整部３０の回転操作方向のうち、吐出予定量を減少させるための回転操作方向と、第二の調整部３１の回転操作方向のうち、吐出予定量を減少させるための回転操作方向も逆向きの回転方向となっているため、第一の調整部３０と第二の調整部３１とに対する誤操作を抑止し易くなる。
【００９５】
さらに、本実施形態に係る吐出量調整具１では、第一の指示部４０１が第一の目盛部４００の何れかの目盛りを指示している状態に切り替わるとともに、嵌合凹部２２１と嵌合突出部３０１ｂとが嵌合するように構成されているため、第一の目盛部４００の目盛りの間隔に合わせて第一の調整部３０による吐出量調整具１の調整量を段階的に変化させ易くなり、また、第一の調整部３０による吐出量調整具１の調整量のずれを防止することが可能となる。
【００９６】
また、第二の指示部４１１が第二の目盛部４１０の何れかの目盛を指示している状態に切り替わるとともに、係合凹部３０２ｂと係合突出部３１１ｂとが係合するように構成されているため、第二の目盛部４１０の目盛りの間隔に合わせて第二の調整部３１による吐出量調整具１の調整量を段階的に変化させ易くなり、また、第二の調整部３１による吐出量調整具１の調整量のずれを防止することが可能となる。
【００９７】
カバー部２１が、開口方向における長さがバレル５０の全長よりも短くなるように形成されているため、装着部２にバレル５０が挿通されると、フランジ部５０２及び筒状部５００の後端側がカバー部２１に覆われるとともに、ノズル５０１部及び筒状部５００の前端側がカバー部２１の外部に露出する。これにより、第一の調整部３０、第二の調整部３１の操作時にバレル５０ではなくカバー部２１を掴むことができ、また、バレル５０内の液体の残量を確認できるようにもなる。
【００９８】
上記実施形態では、第一の調整部３０を大量調整部とし、第二の調整部３１を小量調整部としていたが、第一の調整部３０を小量調整部とし、第二の調整部３１を大量調整部としてもよい。
【００９９】
上記実施形態において、調整ユニット３は、二つの吐出量調整部３０，３１を備えるように構成されていたが、例えば、３つ以上の吐出量調整部を備えていてもよい。
【０１００】
上記実施形態において、第二の調整部３１は、単位操作量に対する吐出予定量の変化量が第一の調整部３０の単位操作量に対する吐出予定量の変化量の１０分の１以下に設定されていたが、この構成に限定されず、第一の調整部３０の単位操作量に対する吐出予定量の変化量に対する第二の調整部３１の単位操作量に対する吐出予定量の変化量の割合は、適宜設定可能である。
【０１０１】
但し、第二の調整部３１が、単位操作量に対する吐出予定量の変化量が第一の調整部３０の単位操作量に対する吐出予定量の変化量の１０分の１以下に設定されている場合は、吐出予定量を合わせ易い。
【０１０２】
上記実施形態において、第一の調整部３０と第二の調整部３１とは、軸線方向を中心とする周方向で回転操作するように構成されていたが、この構成に限定されず、例えば、第一の調整部３０と第二の調整部３１とは、軸線方向でスライド操作するように（回転させずにスライドさせるように）構成されていてもよい。
【０１０３】
また、第一の調整部３０と第二の調整部３１のうちの何れか一方を軸線方向でスライドするように構成し、他方が軸線方向を中心とする周方向で回転操作するように構成されていてもよい。
【０１０４】
この場合、第一の調整部３０と第二の調整部３１とが、それぞれ異なる操作方法により吐出予定量を増減させるように構成されているため、第一の調整部３０と第二の調整部３１とに対する誤操作を防止することができる。
【０１０５】
上記実施形態において、特に言及しなかったが、後方規制部３２１が、操作部５１２の前記軸線方向における後方側への移動に対する規制を解除可能に構成してもよい。この場合、シリンジ５内の液体を吐出した後、第一の調整部３０、第二の調整部３１を前記軸線方向における前方側に移動させれば、再びシリンジ５内の液体を吐出できる状態にすることが可能となる。
【０１０６】
上記実施形態において、規制部３２は、前方規制部３２０と後方規制部３２１とを有する用に構成されていたが、この構成に限定されず、例えば、前方規制部３２０のみを備えるように構成されていてもよい。すなわち、規制部３２は、プランジャ５１の、前記軸線方向での移動のうち、少なくとも前方側への移動を規制できるように構成されていればよい。
【０１０７】
上記実施形態において、特に言及しなかったが、装着部２は、図１５（ａ）、及び図１５（ｂ）に示すように、バレル５０の外周面に圧接する圧接部２３を有するように構成されていてもよい。
【０１０８】
圧接部２３は、装着部２の内周面に対して周方向で間隔をあけて並ぶように複数形成されている。また、圧接部２３は、装着部２の内周面から径方向内方（装着部２の径方向内方）に向けて延出しており、装着部２の内周面に対して傾斜するように形成されている。なお、圧接部２３は、装着部２の内周面から径方向内方（装着部２の径方向内方）に向かって真っ直ぐに延出するように形成されていてもよい。
【０１０９】
このようにすれば、圧接部２３により、装着部２に対するバレル５０の相対的な動き、より具体的には、バレル５０の前記軸線方向における移動を防止することができる。
【符号の説明】
【０１１０】
１…吐出量調整具、２…装着部、３…調整ユニット、４…確認構造、５…シリンジ、２０…固定部、２１…カバー部、２２…連結ベース部、２３…圧接部、３０…第一の調整部、３１…第二の調整部、３２…規制部、４０…第一の表示部、４１…第二の表示部、５０…バレル、５１…プランジャ、２００…嵌込部、２００ａ…受面部、２００ｂ…壁面部、２００ｃ…平面壁部、２００ｄ…曲面壁部、２２０…連結ねじ部、２２１…嵌合凹部、３００…第一の本体部、３０１…第一の取付部、３０１ａ…第一の取付用ねじ部、３０１ｂ…嵌合突出部、３０２…接続ベース部、３０２ａ…接続ねじ部、３０２ｂ…係合凹部、３０３…被引掛部、３１０…第二の本体部、３１１…第二の取付部、３１１ａ…第二の取付ねじ部、３１１ｂ…係合突出部、３１２…引掛部、３２０…前方規制部、３２１…後方規制部、３２１ａ…爪部、４００…第一の目盛部、４０１…第一の指示部、４１０…第二の目盛部、４１１…第二の指示部、５００…筒状部、５０１…ノズル、５０２…フランジ部、５１０…ロッド部、５１１…ガスケット、５１２…操作部
【図１】
2019088555.tif 000003
【図２】
2019088555.tif 000004
【図３】
2019088555.tif 000005
【図４】
2019088555.tif 000006
【図５】
2019088555.tif 000007
【図６】
2019088555.tif 000008
【図７】
2019088555.tif 000009
【図８】
2019088555.tif 000010
【図９】
2019088555.tif 000011
【図１０】
2019088555.tif 000012
【図１１】
2019088555.tif 000013
【図１２】
2019088555.tif 000014
【図１３】
2019088555.tif 000015
【図１４】
2019088555.tif 000016
【図１５】
2019088555.tif 000017